(57)【要約】      （修正有）【課題】従来と比して、一段とセキュリティ性を向上させた媒体取引装置を提供する。【解決手段】カセットスロット１８Ａ〜１８Ｃの後端に、カセットスロットの内部と搬送ユニット１３Ｕとの間を隔てる隔壁６１を設け、さらに、この隔壁６１のカセットスロットの内部側の面（前面）に、排出モータ６５と出金機側ギア６６Ａを設けた。これにより、紙幣カセット１１Ａ〜１１Ｃがカセットスロットの内部に装着されたときに、紙幣カセットのギア挿入口から見えるカセット側ギア５０や、隔壁６１の前面に設けられた排出モータ６５及び出金機側ギア６６Ａを、隔壁６１によって、隔壁６１の後方の搬送ユニット１３Ｕ側から触ることができないように隠蔽する。【選択図】図７
2016152021.tif 000002
【特許請求の範囲】
【請求項１】
媒体を収納する媒体収納庫と、
前記媒体収納庫から前記媒体を繰り出す繰出部と、
前記繰出部によって繰り出された前記媒体を搬送する搬送部と、
前記媒体収納庫と前記搬送部との間に設けられ、前記繰出部の可動部分を前記搬送部側から隠蔽する隔壁と
を有することを特徴とする媒体取引装置。
【請求項２】
前記繰出部は、
前記媒体収納庫に設けられた収納庫側繰出部と、
前記隔壁の前記媒体収納庫側に設けられ、前記収納庫側繰出部と係合する装置側繰出部とでなる
ことを特徴とする請求項１に記載の媒体取引装置。
【請求項３】
前記隔壁は、
前記繰出部の可動部分を覆い、且つ前記媒体収納庫の隔壁側の端部に形成された媒体排出口については覆わないように、前記媒体収納庫と前記搬送部との間に設けられている
ことを特徴とする請求項２に記載の媒体取引装置。
【請求項４】
前記収納庫側繰出部は、
媒体を排出する排出ローラと、当該排出ローラに駆動力を伝達する収納庫側ギアとでなり、
前記装置側繰出部は、
排出モータと、当該排出モータの駆動力を前記収納庫側ギアに伝達する装置側ギアとでなり、
前記収納庫側ギアと前記排出モータの軸と前記装置側ギアが、前記可動部分として、前記隔壁によって隠蔽される
ことを特徴とする請求項２又は３に記載の媒体取引装置。
【請求項５】
前記収納庫側繰出部は、
媒体を排出する排出ローラと、当該排出ローラに駆動力を伝達する収納庫側ギアとでなり、
前記装置側繰出部は、
前記搬送部から駆動力を受け取る電磁クラッチと、前記電磁クラッチが受け取った駆動力を前記収納庫側ギアに伝達する装置側ギアとでなり、
前記収納庫側ギアと前記電磁クラッチと前記装置側ギアが、前記可動部分として、前記隔壁によって隠蔽される
ことを特徴とする請求項２又は３に記載の媒体取引装置。
【請求項６】
前記繰出部は、
前記隔壁の前記媒体収納庫側に設けられ、前記媒体収納庫の隔壁側の端部に形成された開口から前記媒体収納庫の内部に挿入される
ことを特徴とする請求項１に記載の媒体取引装置。
【請求項７】
前記隔壁には、
前記媒体収納庫の開口よりも狭いスリットが形成され、
前記媒体収納庫の開口から排出された媒体が、前記隔壁のスリットを通って、前記搬送部へと繰り出される
ことを特徴とする請求項６に記載の媒体取引装置。
【請求項８】
前記繰出部は、
媒体を排出する排出ローラと、排出モータと、当該排出モータの駆動力を前記排出ローラに伝達する駆動伝達ギアとでなり、
前記排出ローラと前記排出モータの軸と前記駆動伝達ギアが、前記繰出部の可動部分として、前記隔壁によって隠蔽される
ことを特徴とする請求項６又は７に記載の媒体取引装置。
【請求項９】
前記繰出部は、
媒体を排出する排出ローラと、前記搬送部から駆動力を受け取る電磁クラッチと、当該電磁クラッチが受け取った駆動力を前記排出ローラに伝達する駆動伝達ギアとでなり、
前記排出ローラと前記電磁クラッチと前記駆動伝達ギアが、前記繰出部の可動部分として、前記隔壁によって隠蔽される
ことを特徴とする請求項６又は７に記載の媒体取引装置。
【請求項１０】
前記媒体収納庫は、
前記媒体取引装置に対し着脱可能となっている
ことを特徴とする請求項１〜９のいずれかに記載の媒体取引装置。
【請求項１１】
前記搬送部は、
前記媒体取引装置に対し着脱可能となっている
ことを特徴とする請求項１〜１０のいずれかに記載の媒体取引装置。
【請求項１２】
前記隔壁の前記媒体収納庫側に、
前記媒体収納庫の媒体排出口を覆うシャッタのロックを解除する為の解除部が固定されている
ことを特徴とする請求項１〜１１のいずれかに記載の媒体取引装置。
【発明の詳細な説明】
【技術分野】
【０００１】
本発明は媒体取引装置に関するものであり、例えば紙幣が装填された紙幣カセットを着脱可能な紙幣出金機に適用して好適なものである。
【背景技術】
【０００２】
従来、利用者からの要求に応じて紙幣を出金する紙幣出金機が金融機関等で使用されている（例えば特許文献１参照）。紙幣出金機には、顧客に出金する紙幣が例えば金種ごとに装填される複数の紙幣カセットが着脱可能に設けられている。紙幣出金機は、顧客操作に応じて、紙幣カセットから紙幣を繰り出して出金を行うようになっている。
【０００３】
ここで、図１５を用いて、従来の紙幣カセット５００について説明する。図１５（Ａ）は、紙幣カセット１１の内部構造を示す図であり、図１５（Ｂ）は、紙幣カセット５００を後側から見た後面図である。尚、図１５（Ａ）は、部分的に簡略化した図となっている。
【０００４】
図１５に示すように、紙幣カセット５００は、箱型の筐体５０１を有していて、筐体５０１の内部に紙幣収納エリア５０２が設けられている。尚、紙幣カセット５００は、図示しない紙幣出金機に対し、筐体５０１の前面から後面に向かう方向（これを装着方向と呼ぶ）に装着されるようになっている。筐体５０１の後面には、開口５０３が設けられ、この開口５０３の内側に、紙幣の排出口５０４が設けられている。さらに、紙幣の排出口５０４の奥には、紙幣収納エリア５０２に装填された紙幣を排出口５０４から排出する為の排出ローラ５０５と、排出ローラ５０５のシャフトに取り付けられたギア（これをカセット側ギアと呼ぶ）５０６が設けられている。
【０００５】
さらに、筐体５０１の後面には、開口５０３を露出及び隠蔽する為の開閉可能なシャッタ５０７が設けられている。紙幣カセット５００は、シャッタ５０７が閉じているときには、開口５０３が隠蔽されることにともなって、開口５０３から見える排出口５０４やカセット側ギア５０６なども外部から隠蔽されるようになっている。
【０００６】
さらに、筐体５０１の後面には、シャッタ５０７のロックを解除する為の図示しないキーを挿入する為のキースロット５０８が設けられている。さらに、筐体５０１の内部には、キースロット５０８の奥に、シャッタ５０７をロックするシャッタロック機構５０９が設けられている。
【０００７】
紙幣カセット５００は、このような構成でなり、紙幣出金機に装着されていないときには、シャッタ５０７がシャッタロック機構５０９により閉じた状態でロックされることにより、筐体５０１内部の紙幣を開口５０３から不正に取り出すようなことはできない。一方で、紙幣カセット５００は、紙幣出金機に装着されると、紙幣出金機のキーがキースロット５０８に差し込まれてシャッタ５０７のロックが解除され、シャッタ５０７が開くことで、筐体５０１内部の紙幣を、紙幣出金機へと繰り出すことができるようになっている。
【０００８】
ここで、図１６（Ａ）に、紙幣出金機５２０に装着された状態の紙幣カセット５００を示す。尚、図１６（Ａ）には、説明を簡単にする為、紙幣出金機５２０全体のうち、紙幣カセット５００を装着したカセット装着部５２１とその周辺部のみを示している。
【０００９】
図１６（Ａ）に示すように、紙幣カセット５００は、紙幣出金機５２０のカセット装着部５２１に装着されると、紙幣出金機５２０に設けられたキー５２２がキースロット５０８に差し込まれることでシャッタ５０７が開き、紙幣出金機５２０に設けられたギア（これを出金機側ギアと呼ぶ）５２３が、開口５０３から紙幣カセット５００内部へ挿入されてカセット側ギア５０６と係合する（噛み合う）。
【００１０】
さらに、紙幣出金機５２０には、排出モータ５２４が設けられ、この排出モータ５２４の駆動力が、出金機側ギア５２３を介してカセット側ギア５０６へと伝達されることで排出ローラ５０５が回転する。これにより、紙幣カセット５００から紙幣が排出され、紙幣出金機５２０の搬送ユニット５２５へと繰り出される。
【先行技術文献】
【特許文献】
【００１１】
【特許文献１】特願２０１０−５２９５１４号公報（第１図）
【発明の概要】
【発明が解決しようとする課題】
【００１２】
従来の紙幣カセット５００は、紙幣出金機５２０のカセット装着部５２１に装着されたときのみシャッタ５０７が開くようになっている為、紙幣出金機５２０から取り外されたときには、シャッタ５０７を開けて紙幣を不正に取り出すようなことはできない。しかしながら、従来の紙幣出金機５２０には、紙幣カセット５００が装着された状態で、搬送ユニット５２５側から出金機側ギア５２３に触れることが可能なものがあり、この場合、出金機側ギア５２３を回転させれば、紙幣カセット５００から紙幣を排出できてしまう。
【００１３】
また、図１６（Ｂ）に示すように、従来の紙幣出金機５２０には、紙幣カセット５００が装着された状態で、点検や交換の為に搬送ユニット５２５を取り外すと、紙幣カセット５００のシャッタ５０７が開いたままの状態となり、カセット側ギア５０６に触れることが可能なものがある。この場合、カセット側ギア５０６を回転させれば、紙幣カセット５００から紙幣を排出できてしまう。
【００１４】
このように、従来の紙幣出金機は、紙幣出金機に関する知識を有している人であれば、紙幣出金機に装着されている紙幣カセットから紙幣を抜き取ることができてしまうというセキュリティ上の問題を有していた。
【００１５】
本発明は以上の点を考慮してなされたもので、従来と比して、一段とセキュリティ性を向上させた媒体取引装置を提案するものである。
【課題を解決するための手段】
【００１６】
かかる課題を解決するため本発明においては、媒体を収納する媒体収納庫と、前記媒体収納庫から前記媒体を繰り出す繰出部と、前記繰出部によって繰り出された前記媒体を搬送する搬送部と、前記媒体収納庫と前記搬送部との間に設けられ、前記繰出部の可動部分を前記搬送部側から隠蔽する隔壁とを有する。
【００１７】
本発明は、媒体収納庫から媒体を繰り出す繰出部の可動部分を隠蔽する隔壁を有していることにより、繰出部が搬送部側から不正に操作されることを防ぐことができ、この結果、媒体収納庫から紙幣が不正に抜き取られてしまうことを防ぐことができる。
【発明の効果】
【００１８】
本発明によれば、従来と比して、一段とセキュリティ性を向上させた媒体取引装置を実現できる。
【図面の簡単な説明】
【００１９】
【図１】紙幣出金機の構成を示す側面図である。
【図２】第１の実施の形態による紙幣カセットの構成を示す図である。
【図３】第１の実施の形態によるシャッタが閉じた状態の紙幣カセットを示す図である。
【図４】第１の実施の形態によるカセット装着部とその周辺部の構成を示す図である。
【図５】第１の実施の形態によるカセット装着部の構成を示す図である。
【図６】第１の実施の形態による排出モータユニットの構成を示す図である。
【図７】第１の実施の形態による紙幣カセットが装着された状態のカセット装着部とその周辺部を示す図である。
【図８】第１の実施の形態による紙幣カセットが装着された状態のカセット装着部を示す図である。
【図９】第１の実施の形態による収納筐体から搬送ユニットを取り外した状態を示す図である。
【図１０】第２の実施の形態による紙幣カセットの構成を示す図である。
【図１１】第２の実施の形態によるカセット装着部とその周辺部の構成を示す図である。
【図１２】第２の実施の形態によるカセット装着部の構成を示す図である。
【図１３】第２の実施の形態による紙幣カセットが装着された状態のカセット装着部とその周辺部を示す図である。
【図１４】他の実施の形態によるカセット装着部とその周辺部の構成を示す図である。
【図１５】従来の紙幣カセットの構成を示す図である。
【図１６】従来のカセット装着部とその周辺の構成を示す図である。
【発明を実施するための形態】
【００２０】
以下、発明を実施するための形態（以下実施の形態とする）について、図面を用いて説明する。
【００２１】
［１．第１の実施の形態］
［１−１．紙幣出金機の構成］
図１に模式的な側面図を示すように、第１の実施の形態による紙幣出金機１は、例えば金融機関等に設置され、利用者（すなわち金融機関の顧客）の操作に応じて紙幣を出金するようになっている。この紙幣出金機１は、大きく分けて下側の収納ユニット２及び上側の束搬送ユニット３により構成されており、さらに全体を制御する制御部４が組み込まれている。
【００２２】
以下では、紙幣出金機１のうち顧客が対峙する側を前側とし、その反対を後側とし、前側に対峙した顧客から見て左及び右をそれぞれ左側及び右側とし、さらに上側及び下側を定義して説明する。
【００２３】
収納ユニット２は、直方体状の収納筐体１０を有し、この収納筐体１０に、紙幣に関する種々の処理を行う複数の部分が組み込まれている。具体的には、収納筐体１０に、複数（例えば４個）の紙幣カセット１１（１１Ａ〜１１Ｄ）を装着可能なカセット装着部１２と、搬送部１３と、鑑別部１４と、切替部１５と、集積部１６と、リジェクトカセット１７が設けられている。
【００２４】
収納筐体１０は、上下方向のほぼ中央から下側の部分がカセット装着部１２となっている。カセット装着部１２は、上下方向に４個のカセットスロット１８（１８Ａ〜１８Ｄ）を有している。各紙幣カセット１１は、前後方向に長い直方体形状でなり、同様に、各カセットスロット１８は、それぞれ前後方向に長い直方体形状でなり、且つ収納筐体１０の前面側が入り口となっている。各紙幣カセット１１は、各カセットスロット１８の入り口から後方向へ挿入されることで装着されている。
【００２５】
各紙幣カセット１１は、その内部に、紙幣を前後方向に重ねるように集積した状態で紙幣を収納する。また、カセット装着部１２に装着されている各紙幣カセット１１は、前方向へ引き抜くことで、カセット装着部１２から取り外すことができるようになっている。このように、各紙幣カセット１１は、収納筐体１０に対し、着脱可能となっている。また、各紙幣カセット１１は、それぞれに収納される紙幣の金種が予め定められている。
【００２６】
搬送部１３は、図示しないローラやベルト、或いはこれらを駆動するモータ等により、紙幣を搬送する経路である搬送路１３Ａを構成している。この搬送路１３Ａは、カセット装着部１２に装着された各紙幣カセット１１と接続されている。尚、詳しくは後述するが、搬送部１３の一部は、搬送ユニットとして、収納筐体１０から着脱可能となっている。
【００２７】
鑑別部１４は、搬送路１３Ａの途中に設けられている。この鑑別部１４は、搬送される紙幣の金種や走行状態等を鑑別し、その鑑別結果を制御部４へ供給する。制御部４は、得られた鑑別結果を基に、各紙幣カセット１１から排出された紙幣のうち、出金すべき正常な紙幣の搬送先を集積部１６に、出金すべきでない紙幣（以下これをリジェクト紙幣と呼ぶ）の搬送先をリジェクトカセット１７に、それぞれ決定する。
【００２８】
切替部１５は、集積部１６とリジェクトカセット１７との間に設けられ、制御部４の制御に基づき、搬送部１３によって搬送されてきた紙幣の進行方向を、集積部１６又はリジェクトカセット１７に切り替える。
【００２９】
集積部１６は、カセット装着部１２より上側に位置しており、内部に紙幣を集積するための集積空間を形成している。この集積部１６は、切替部１５から搬送され放出部１６Ｒにより集積空間内へ放出された紙幣を、ステージ１６Ｔ上に集積させることができる。さらに集積部１６は、ステージ１６Ｔ上に集積させた紙幣を、集積部１６の上側に位置する束搬送ユニット３へ繰り出すことができるようにもなっている。
【００３０】
リジェクトカセット１７は、集積部１６の前側に位置しており、内部に紙幣を収納する収納部を有している。リジェクトカセット１７は、切替部１５から搬送され放出部１７Ｒにより収納部内へ放出された紙幣（すなわちリジェクト紙幣）を収納することができる。さらに、リジェクトカセット１７は、リジェクトカセット１７の上側に位置する束搬送ユニット３から落とされた、顧客が取り忘れた紙幣を収納部内に収納することができるようにもなっている。
【００３１】
一方、束搬送ユニット３は、直方体状の束搬送筐体２０内に、紙幣を束ねた状態で搬送して出金口２１から排出するための種々の機構が設けられている。
【００３２】
紙幣出金機１は、このような構成でなり、図示しない操作部により利用者から出金の指示及び出金額を受け付けると、制御部４の制御に基づいて、出金処理を行うようになっている。
【００３３】
［１−２．紙幣カセットとカセット装着部とその周辺部の構成］
ここで、各紙幣カセット１１と、カセット装着部１２と、その周辺部の構成とについて詳しく説明する。尚、紙幣カセット１１Ａ〜１１Ｄは、同一の構成である為、ここでは紙幣カセット１１としてまとめて説明する。
【００３４】
図２に、カセット装着部１２から取り外された状態の紙幣カセット１１の構成を示す。図２（Ａ）は、紙幣カセット１１を上側から見た上面図、図２（Ｂ）は、紙幣カセット１１の内部構造を示す図、図２（Ｃ）は、紙幣カセット１１を後側から見た後面図である。尚、図２（Ｂ）は、部分的に簡略化した図となっている。
【００３５】
図２に示すように、紙幣カセット１１は、直方体形状の箱型でなる筐体４０を有している。紙幣カセット１１は、カセットスロット１８に対し、この筐体４０の前面から後面に向かう方向（装着方向）に装着されるようになっている。
【００３６】
また、紙幣カセット１１は、筐体４０の上面に開閉可能な扉４１が設けられている。この扉４１は、錠４２によって施錠され、図示しない鍵によって解錠することができる。作業者は、扉４１を鍵で解錠して開けることで、筐体４２内部の紙幣収納エリア４３を露出させ、この紙幣収納エリア４３に紙幣を装填することができる。
【００３７】
筐体４０の後面には、下半分のほぼ全域を占有する大きさでなる横長長方形状の開口４４が設けられ、また、この開口４４より上側の左右両端に、それぞれ紙幣出金機１に設けられた後述する２つのキー６３Ａ、６３Ｂが挿入されるキースロット４５Ａ、４５Ｂが設けられている。
【００３８】
さらに、筐体４０は、開口４４から露出する部分（すなわち開口４４の内側の部分）が壁となっていて、この部分の中央に、紙幣の排出口４６が設けられている。排出口４６は、紙幣１枚が通る程度の横長のスリット状となっている。さらに、開口４４から露出する部分の右上隅には、紙幣出金機１に設けられた後述する出金機側ギア６６Ａが挿入される縦長の長方形状でなるギア挿入口４７が設けられている。開口４４から露出する部分のうち、排出口４６とギア挿入口４７のみが、筐体４０内部へと通じている。
【００３９】
さらに、筐体４０の後端には、開口４４を露出及び隠蔽する為の開閉可能なシャッタ４８が設けられている。紙幣カセット１１は、シャッタ４８が閉じているときには、開口４４が隠蔽されることにともなって、排出口４６とギア挿入口４７が外部から隠蔽されるようになっている。尚、図２（Ｂ）及び（Ｃ）は、シャッタ４８が開いた状態を示している。
【００４０】
さらに、筐体４０の内部には、排出口４６の奥に、紙幣収納エリア４３に装填されている紙幣を排出口４６から排出する為の上下一対の排出ローラ４９が設けられ、さらにギア挿入口４７の奥に、上側の排出ローラ４９のシャフトに固定されたカセット側ギア５０が設けられている。さらに、筐体４０の内部には、キースロット４５Ａ、４５Ｂの奥に、シャッタ４８を閉じた状態でロックするシャッタロック機構５１が設けられている。
【００４１】
図２（Ｂ）及び（Ｃ）に対応する図３（Ａ）及び（Ｂ）に示すように、紙幣カセット１１は、紙幣出金機１に装着されていないときには、シャッタ４８がシャッタロック機構５１により閉じた状態でロックされるようになっていて、これにより、内部の紙幣収納エリア４３にはアクセスできないようになっている。
【００４２】
図４及び図５に、紙幣カセット１１が取り外された状態のカセット装着部１２とその周辺の構成を示す。尚、図４は、カセット装着部１２のカセットスロット１８Ａ〜１８Ｃとその周辺の内部構造を示す図であり、図５は、カセットスロット１８のうちの１つ（例えばカセットスロット１８Ａ）を後側から見た後面図である。
【００４３】
図４に示すように、カセット装着部１２は、複数のカセットスロット１８（カセットスロット１８Ｄは図中省略）を有している。また、図５に示すように、各カセットスロット１８は、装着された紙幣カセット１１の上面と対向する上面フレーム６０Ｕと、紙幣カセット１１の下面と対向する下面フレーム６０Ｂと、紙幣カセット１１の左右の側面とそれぞれ対向する左側面フレーム６０Ｌ、右側面フレーム６０Ｒとでなるフレーム６０によって形成されている。
【００４４】
さらに、カセットスロット１８の奥には、左側面フレーム６０Ｌの後端と右側面フレーム６０Ｒの後端とに固定された板状の隔壁６１が設けられている。尚、隔壁６１は、上下方向の長さが、カセットスロット１８の後端の開口６２の上下方向の長さより短くなっていて、開口６２の下部を塞がないようにして固定されている。つまり、隔壁６１の下には、カセットスロット１８の内部へと通じる隙間６２Ａが形成されている。詳しくは後述するが、紙幣カセット１１がカセットスロット１８に装着されると、カセットスロット１８の後方からは、紙幣カセット１１のキースロット４５Ａ、４５Ｂ、ギア挿入口４７は、隔壁６１に覆われて見えず、隙間６２Ａから排出口４６のみが見える状態となる。
【００４５】
また、この隔壁６１の前面（すなわちカセットスロット１８の内部側の面）には、２つのキー６３Ａ、６３Ｂと、排出モータユニット６４が設けられている。２つのキー６３Ａ、６３Ｂは、隔壁６１の前面に、溶接などにより固定されている。排出モータユニット６４は、図６に示すように、排出モータ６５と、この排出モータ６５の駆動力を順に伝達する為の複数の出金機側ギア６６とで構成され、複数の出金機側ギア６６の１つが排出モータ６５の軸に固定されている。また複数の出金機側ギア６６のうち、最も前側に配置され、最後に駆動力が伝達される出金機側ギア６６Ａが、紙幣カセット１１の内部に挿入されるギアである。
【００４６】
また、図４に示すように、カセット装着部１２の周辺に設けられている搬送部１３は、カセット装着部１２の後方に位置する図中点線で示す部分が搬送ユニット１３Ｕとなっていて、この搬送ユニット１３Ｕを、収納筐体１０から取り外すことができるようになっている。
【００４７】
尚、隔壁６１の前面に設けられた２つのキー６３Ａ、６３Ｂと、排出モータ６５及び各出金機側ギア６６は、隔壁６１によって覆われていることにより、搬送ユニット１３Ｕ側からは触れることができないよう隠蔽されている。
【００４８】
紙幣カセット１１と、カセット装着部１２周辺の構成は、以上のようになっている。ここで、図７に、紙幣カセット１１が装着された状態のカセット装着部１２とその周辺の構成を示す。実際、カセット装着部１２のカセットスロット１８に、紙幣カセット１１を押し込んでいくと、カセットスロット１８の奥の隔壁６１に設けられた２つのキー６３Ａ、６３Ｂが、紙幣カセット１１のキースロット４５Ａ、４５Ｂに挿入され、２つのキー６３Ａ、６３Ｂによって紙幣カセット１１のシャッタロック機構５１によるロックが解除されて、シャッタ４８が開く。
【００４９】
これにより、紙幣カセット１１の後面のギア挿入口４７と、排出口４６とが紙幣カセット１１の外部に露出する。このとき、図８に示すように、紙幣カセット１１の後面の排出口４６より上方に位置するギア挿入口４７は、隔壁６１によって、搬送ユニット１３Ｕ側からは見えないよう覆われ、搬送ユニット１３Ｕ側からは、隔壁６１の下側の隙間６２Ａから紙幣カセット１１の排出口４６のみが見えるようになっている。
【００５０】
そして、紙幣カセット１１のギア挿入口４７から、カセットスロット１８の奥の隔壁６１に設けられた出金機側ギア６６Ａが挿入され、紙幣カセット１１のカセット側ギア５０と噛み合う。この時点で、隔壁６１に設けられた排出モータ６５の駆動力を、出金機側ギア６６Ａからカセット側ギア５０へと伝達させて、紙幣カセット１１の排出ローラ４９を駆動できる状態となる。また、このとき、隔壁６１の下側の隙間６２Ａを介して、紙幣カセット１１の排出口４６と、搬送部１３の搬送路１３Ａとが接続される。
【００５１】
この時点で、カセット装着部１２への紙幣カセット１１の装着が完了したことになる。そして、排出モータ６５を駆動させると、これにともなって紙幣カセット１１の排出ローラ４９が回転することにより、紙幣カセット１１の紙幣収納エリア４３に装填されている紙幣が１枚ずつ排出口４６から排出される。排出口４６から排出された紙幣は、搬送ユニット１３Ｕへと繰り出され、搬送ユニット１３Ｕによって搬送される。
【００５２】
このように、紙幣カセット１１に装填されている紙幣は、排出モータ６５及び出金機側ギア６６と、排出ローラ４９及びカセット側ギア５０とによって、紙幣カセット１１から繰り出される。つまり、これら、排出モータ６５、出金機側ギア６６、排出ローラ４９、カセット側ギア５０が、紙幣を繰り出す繰出部となっている。
【００５３】
一方で、カセットスロット１８から紙幣カセット１１を引き抜くと、紙幣カセット１１のカセット側ギア５０から出金機側ギア６６Ａが外れ、紙幣カセット１１のキースロット４５Ａ、４５Ｂからキー６３Ａ、６３Ｂが抜けることにより、紙幣カセット１１のシャッタ４８が閉じてロックされる。
【００５４】
また、搬送ユニット１３Ｕを点検又は交換する場合、ドライバーなどで収納筐体１０と搬送ユニット１３Ｕとの締結部品を取り外して、搬送ユニット１３Ｕを収納筐体１０から取り外す。ここで、図９に、搬送ユニット１３Ｕを取り外した場合のカセット装着部１２とその周辺の構成を示す。
【００５５】
このとき、カセット装着部１２に紙幣カセット１１が装着されていると、紙幣カセット１１のシャッタ４８が開いたままとなっている為、カセット装着部１２の後方からは、隔壁６１の下側の隙間６２Ａから紙幣カセット１１の排出口４６が見える状態となる。
【００５６】
しかしながら、排出口４６は、紙幣が１枚通る程度の狭小の隙間である為、この排出口４６から、排出ローラ４９を回転させずに、紙幣カセット１１の内部に装填されている紙幣を抜き取ることはできない。また、紙幣カセット１１のギア挿入口４７や、隔壁６１の前面に設けられた各出金機側ギア６６は、隔壁６１に覆われていることにより、カセット装着部１２の後方からは触れないよう隠蔽されている。ゆえに、カセット側ギア５０や各出金機側ギア６６に触れて排出ローラ４９を回転させることはできず、排出ローラ４９を回転させて紙幣を排出口４６から排出させることもできない。
【００５７】
このように、紙幣出金機１は、カセット装着部１２に紙幣カセット１１が装着された状態で、搬送ユニット１３Ｕが取り外された場合でも、紙幣カセット１１から不正に紙幣が取り出されることを防ぐことができる。
【００５８】
さらに、例えば、隔壁６１に取り付けられた排出モータ６５の点検を行う場合、カセットスロット１８から紙幣カセット１１を引き抜いて、カセットスロット１８の入口側から点検を行う。または、フレーム６０から隔壁６１ごと取り外して排出モータ６５の点検を行うようにしてもよい。フレーム６０から隔壁６１ごと取り除く場合、キー６３Ａ、６３Ｂと出金機側ギア６６Ａが、紙幣カセット１１から抜けることになり、紙幣カセット１１のシャッタ４８が閉じる。よって、この場合も、紙幣カセット１１から不正に紙幣を取り出すことはできない。
【００５９】
［１−３．まとめと効果］
ここまで説明したように、第１の実施の形態では、カセット装着部１２のカセットスロット１８の後端に、カセットスロット１８の内部と搬送ユニット１３Ｕとの間を隔てる隔壁６１を設け、さらに、この隔壁６１のカセットスロット１８の内部側の面（前面）に、キー６３Ａ、６３Ｂと、排出モータ６５と、出金機側ギア６６とを設けた。
【００６０】
これにより、紙幣カセット１１がカセットスロット１８の内部に装着されたときに、紙幣カセット１１のギア挿入口４７から見えるカセット側ギア５０や、隔壁６１の前面に設けられたキー６３Ａ、６３Ｂ、排出モータ６５及び出金機側ギア６６を、隔壁６１によって、隔壁６１の後方の搬送ユニット１３Ｕ側から触ることができないように隠蔽することができる。
【００６１】
また、隔壁６１の下側には、紙幣カセット１１の排出口４６から排出された紙幣が通る為の隙間６２Ａが設けられていて、この隙間６２Ａから紙幣カセット１１の排出口４６が常に露出した状態となるが、排出口４６は、紙幣１枚が通る程度の狭小の隙間である為、この排出口４６の奥に設けられた排出ローラ４９が不正に操作されることを防ぐことができ、紙幣カセット１１から紙幣が不正に抜き取られてしまうことを防ぐことができる。
【００６２】
さらに、紙幣カセット１１をカセットスロット１８に装着したままの状態で搬送ユニット１３Ｕが取り外されたとしても、カセット側ギア５０や出金機側ギア６６は隔壁６１によって、触ることができないよう隠蔽されたままとなる為、カセット側ギア５０や出金機側ギア６６が不正に操作されることを防ぐことができ、紙幣カセット１１から紙幣が不正に抜き取られてしまうことを防ぐことができる。
【００６３】
かくして、第１の実施の形態の紙幣出金機１によれば、従来と比して、一段とセキュリティ性を向上することができる。
【００６４】
また、紙幣カセット１１のシャッタ４８を開く為のキー６３Ａ、６３Ｂは、隔壁６１に溶接などにより固定されていて、隔壁６１から取り外すことはできないようになっている。これにより、紙幣出金機１では、例えば、カセット装着部１２から取り外された状態の紙幣カセット１１のシャッタ４８が不正に開けられてしまうことを防ぐこともできる。
【００６５】
［２．第２の実施の形態］
次に、第２の実施の形態について説明する。この第２の実施の形態は、紙幣カセット１１とカセット装着部１２の構成が、第１の実施の形態とは異なるものである。尚、紙幣出金機１の基本的な構成については、第１の実施の形態と同様の為、詳しい説明については第１の実施の形態を参照とする。よって、ここでは、主に、紙幣カセット１１とカセット装着部１２とについて説明する。
【００６６】
［２−１．紙幣カセットとカセット装着部の構成］
ここで、第２の実施の形態の紙幣カセット１１及びカセット装着部１２の構成について詳しく説明する。
【００６７】
図１０に、カセット装着部１２から取り外された状態の紙幣カセット１１の構成を示す。図１０（Ａ）は、紙幣カセット１１を上側から見た上面図、図１０（Ｂ）は、紙幣カセット１１の内部構造を示す図、図１０（Ｃ）は、紙幣カセット１１を後側から見た後面図、である。尚、図１０（Ｂ）は、部分的に簡略化した図となっている。また、図１０については、図２と同一の部分には同一の符号を付してある。同一部分の詳しい説明については第１の実施の形態を参照とする。
【００６８】
図１０に示すように、第２の実施の形態の紙幣カセット１１は、第１の実施の形態の紙幣カセット１１と同形状同サイズでなる筐体１００を有している。紙幣カセット１１は、カセットスロット１８に対し、この筐体１００の前面から後面に向かう方向（装着方向）に装着されるようになっている。また、紙幣カセット１１は、筐体１００の上面に開閉可能な扉４１が設けられている。この扉４１は、錠４２によって施錠され、図示しない鍵によって解錠することができる。
【００６９】
筐体１００の後面には、上端部を除いた残りのほぼ全域を占有する大きさでなる横長長方形状の開口１０１が設けられ、また、この開口１０１より上側の左右両端に、それぞれ紙幣出金機１に設けられた２つのキー６３Ａ、６３Ｂが挿入されるキースロット４５Ａ、４５Ｂが設けられている。この開口１０１は、第１の実施の形態の筐体４０に設けられた開口４４よりも大きい。
【００７０】
この開口１０１は、紙幣の排出口にもなっていて、この開口１０１から、筐体１００の内部に設けられた紙幣収納エリア４３が露出するようになっている。よって、紙幣収納エリア４３に紙幣が装填されていれば、開口１０１から、紙幣収納エリア４３に装填された紙幣が露出する。
【００７１】
さらに、筐体１００の後端には、開口１０１を露出及び隠蔽する為の開閉可能なシャッタ１０２が設けられている。このシャッタ１０２は、第１の実施の形態の筐体４０に設けられたシャッタ４８よりも大きい。紙幣カセット１１は、シャッタ１０２が閉じているときには、開口１０１が隠蔽されることにともなって、紙幣収納エリア４３や、この紙幣収納エリア４３に装填されている紙幣も、外部から隠蔽されるようになっている。尚、図１０（Ｂ）及び（Ｃ）は、シャッタ１０２が開いた状態を示している。
【００７２】
さらに、筐体１００の内部には、開口１０１の奥に、紙幣出金機１に設けられた後述する排出ローラ１１３を収容するスペースが設けられ、さらに、キースロット４５Ａ、４５Ｂの奥に、シャッタ１０２を閉じた状態でロックするシャッタロック機構５１が設けられている。
【００７３】
紙幣カセット１１は、紙幣出金機１に装着されていないときには、シャッタ１０２がシャッタロック機構５１により閉じた状態でロックされるようになっていて、これにより、内部の紙幣収納エリア４３にはアクセスできないようになっている。
【００７４】
また、第２の実施の形態の紙幣カセット１１は、排出ローラを持たず、代わりに、紙幣出金機１側に設けられた排出ローラ１１３が、開口１０１から内部に挿入されるようになっている。つまり、開口１０１は、紙幣の排出口であるとともに、排出ローラ１１３の挿入口にもなっている。
【００７５】
図１１及び図１２に、紙幣カセット１１が取り外された状態のカセット装着部１２とその周辺部の構成を示す。尚、図１１は、カセット装着部１２のカセットスロット１８Ａ〜１８Ｃとその周辺の内部構造を示す図であり、図１２は、カセットスロット１８のうちの１つ（例えばカセットスロット１８Ａ）を後側から見た後面図である。また、図１１及び図１２については、図４及び図５と同一の部分には同一の符号を付してある。同一部分の詳しい説明については第１の実施の形態を参照とする。
【００７６】
図１１に示すように、カセット装着部１２は、複数のカセットスロット１８（カセットスロット１８Ｄは図中省略）を有している。また、図１２に示すように、各カセットスロット１８は、装着された紙幣カセット１１の上面と対向する上面フレーム６０Ｕと、紙幣カセット１１の下面と対向する下面フレーム６０Ｂと、紙幣カセット１１の左右の側面とそれぞれ対向する左側面フレーム６０Ｌ、右側面フレーム６０Ｒとでなるフレーム６０によって形成されている。
【００７７】
さらに、カセットスロット１８の奥には、左側面フレーム６０Ｌの後端と右側面フレーム６０Ｒの後端とに固定された板状の隔壁１１０が設けられている。尚、隔壁１１０は、上下方向の長さが、カセットスロット１８の後端の開口６２の上下方向の長さとほぼ等しくなっていて、開口６２のほぼ全体を覆うようにして固定されている。また、隔壁１１０には、その下部に、紙幣が１枚通るのに十分な大きさでなる横長狭小のスリット１１０Ａが形成されている。このスリット１１０Ａは、隔壁１１０の前方に位置するカセットスロット１８の内部側と通じているとともに、隔壁１１０の後方に位置する搬送ユニット１３Ｕの搬送路１３Ａと接続されている。
【００７８】
このように、隔壁１１０は、カセットスロット１８の内部と搬送ユニット１３Ｕとを隔てるようにして設けられ、紙幣が１枚通るのに十分な大きさでなる狭小のスリット１１０Ａの部分のみが、カセットスロット１８の内部と搬送ユニット１３Ｕの搬送路とを繋ぐ隙間となっている。
【００７９】
また、この隔壁１１０の前面（すなわちカセットスロット１８の内部側の面）には、２つのキー６３Ａ、６３Ｂと、排出モータユニット１１１が設けられている。排出モータユニット１１１は、排出モータ６５と、この排出モータ６５の駆動力を順に伝達する為の複数の駆動伝達ギア１１２と、駆動伝達ギア１１２を介して排出モータ６５の駆動力が伝達される排出ローラ１１３とで構成されている。尚、複数の駆動伝達ギア１１２のうちの１つが排出モータ６５の軸に固定され、また、別の１つが排出ローラ１１３のシャフトに固定されている。さらに、排出ローラ１１３は、排出モータユニット１１１の一番前側に配置され、紙幣カセット１１の開口１０１から紙幣カセット１１の内部に挿入される。
【００８０】
隔壁１１０のスリット１１０Ａは、上下方向の位置が、この排出ローラ１１３の下端付近となっていて、排出ローラ１１３によって紙幣カセット１１から排出される紙幣が通るようになっている。
【００８１】
尚、隔壁１１０の前面に設けられた２つのキー６３Ａ、６３Ｂ、排出モータ６５、駆動伝達ギア１１２及び排出ローラ１１３は、隔壁１１０によって覆われていることにより、搬送ユニット１３Ｕ側からは触れることができないよう隠蔽されている。
【００８２】
第２の実施の形態の紙幣カセット１１とカセット装着部１２の構成は、以上のようになっている。ここで、図１３に、紙幣カセット１１が装着された状態のカセット装着部１２とその周辺の構成を示す。実際、カセット装着部１２のカセットスロット１８に、紙幣カセット１１を押し込んでいくと、カセットスロット１８の奥の隔壁１１０に設けられた２つのキー６３Ａ、６３Ｂが、紙幣カセット１１のキースロット４５Ａ、４５Ｂに挿入され、２つのキー６３Ａ、６３Ｂによって紙幣カセット１１のシャッタロック機構５１によるロックが解除されて、シャッタ１０２が開く。
【００８３】
この結果、紙幣カセット１１の後面の開口１０１が紙幣カセット１１の外部に露出する。これにより、紙幣カセット１１の開口１０１からは、紙幣カセット１１の内部に装填された紙幣が露出することになる。このとき、搬送ユニット１３Ｕ側からは、隔壁１１０のスリット１１０Ａから紙幣の一部が見えてしまうが、このスリット１１０Ａが十分狭い隙間であり、紙幣を抜き取るようなことはできない。
【００８４】
そして、紙幣カセット１１の開口１０１から、カセットスロット１８の奥の隔壁１１０に設けられた排出ローラ１１３が挿入され、この排出ローラ１１３が紙幣収納エリア４３に装填されている紙幣と接触する。また、図中省略しているが、紙幣カセット１１の内部には、挿入された排出ローラ１１３の下側に、紙幣の排出をガイドする為のガイド部材が設けられていて、紙幣は、このガイド部材と排出ローラ１１３との間を通って排出されるようになっている。
【００８５】
この時点で、カセット装着部１２への紙幣カセット１１の装着が完了したことになる。そして、排出モータ６５を駆動させると、これにともなって紙幣カセット１１の内部に挿入された排出ローラ１１３が回転することにより、紙幣カセット１１の紙幣収納エリア４３に装填されている紙幣が１枚ずつ開口１０１から排出される。開口１０１から排出された紙幣は、隔壁１１０のスリット１１０Ａを通って、搬送ユニット１３Ｕへと繰り出され、搬送ユニット１３Ｕによって搬送される。
【００８６】
このように、紙幣カセット１１に装填されている紙幣は、排出モータ６５及び駆動伝達ギア１１２と、排出ローラ１１３とによって、紙幣カセット１１から繰り出される。つまり、これら、排出モータ６５、駆動伝達ギア１１２、排出ローラ１１３が、紙幣を繰り出す繰出部となっている。
【００８７】
一方で、カセットスロット１８から紙幣カセット１１を引き抜くと、紙幣カセット１１の開口１０１から、排出ローラ１１３が抜け、紙幣カセット１１のキースロット４５Ａ、４５Ｂからキー６３Ａ、６３Ｂが抜けることにより、紙幣カセット１１のシャッタ１０２が閉じてロックされる。
【００８８】
また、搬送ユニット１３Ｕを点検又は交換する場合、ドライバーなどで収納筐体１０と搬送ユニット１３Ｕとの締結部品を取り外して、搬送ユニット１３Ｕを収納筐体１０から取り外す。
【００８９】
このとき、カセット装着部１２に紙幣カセット１１が装着されていると、紙幣カセット１１のシャッタ１０２が開いたままとなっている為、カセット装着部１２の後方からは、隔壁１１０のスリット１１０Ａから紙幣カセット１１の開口１０１が見える状態となる。
【００９０】
しかしながら、スリット１１０Ａは、紙幣が１枚通る程度の狭小の隙間である為、このスリット１１０Ａから、排出ローラ１１３を回転させずに、紙幣カセット１１の内部に装填されている紙幣を抜き取ることはできない。また、隔壁１１０の前面に設けられた駆動伝達ギア１１２や排出ローラ１１３は、隔壁１１０に覆われていることにより、カセット装着部１２の後方からは触れないよう隠蔽されている。ゆえに、駆動伝達ギア１１２や排出ローラ１１３に触れて排出ローラ１１３を回転させることはできず、紙幣をスリット１１０Ａから排出させることもできない。
【００９１】
このように、紙幣出金機１は、カセット装着部１２に紙幣カセット１１が装着された状態で、搬送ユニット１３Ｕが取り外された場合でも、紙幣カセット１１から不正に紙幣が取り出されることを防ぐことができる。
【００９２】
さらに、例えば、隔壁１１０に取り付けられた排出モータ６５の点検を行う場合、カセットスロット１８から紙幣カセット１１を引き抜いて、カセットスロット１８の入口側から点検を行う。または、フレーム６０から隔壁１１０ごと取り外して排出モータ６５の点検を行うようにしてもよい。フレーム６０から隔壁１１０ごと取り除く場合、キー６３Ａ、６３Ｂと排出ローラ１１３が、紙幣カセット１１から抜けることになり、紙幣カセット１１のシャッタ１０２が閉じる。よって、この場合も、紙幣カセット１１から不正に紙幣を取り出すことはできない。
【００９３】
［２−２．まとめと効果］
ここまで説明したように、第２の実施の形態では、カセット装着部１２のカセットスロット１８と、搬送ユニット１３Ｕとの間に、紙幣の通り道となるスリット１１０Ａを有する隔壁１１０を設けた。また、この隔壁１１０のカセットスロット１８の内部側の面（前面）に、キー６３Ａ、６３Ｂと、排出モータ６５と、駆動伝達ギア１１２とを設けた。さらに、排出ローラ１１３を、紙幣カセット１１側にではなく、隔壁１１０に設けるとともに、紙幣カセット１１に排出ローラ１１３を挿入できる大きさの開口１０１を設け、紙幣カセット１１がカセットスロット１８に装着されたときに、排出ローラ１１３が、紙幣カセット１１の開口１０１から内部に挿入されるようにした。
【００９４】
これにより、紙幣カセット１１がカセットスロット１８の内部に装着されたときに、紙幣カセット１１の開口１０１から露出する紙幣や、隔壁１１０の前面に設けられたキー６３Ａ、６３Ｂ、排出モータ６５、駆動伝達ギア１１２及び排出ローラ１１３を、隔壁１１０によって、隔壁１１０の後方の搬送ユニット１３Ｕ側から触ることができないように隠蔽することができる。
【００９５】
また、隔壁１１０には、紙幣カセット１１から排出された紙幣が通る為のスリット１１０Ａが設けられているが、スリット１１０Ａは、紙幣１枚が通る程度の狭小の隙間である為、このスリット１１０Ａの奥に設けられた、駆動伝達ギア１１２や排出ローラ１１３が不正に操作されることを防ぐことができ、紙幣カセット１１から紙幣が不正に抜き取られてしまうことを防ぐことができる。
【００９６】
さらに、紙幣カセット１１をカセットスロット１８に装着したままの状態で搬送ユニット１３Ｕが取り外されたとしても、紙幣カセット１１の開口１０１から露出する紙幣や、駆動伝達ギア１１２、排出ローラ１１３は、隔壁１１０によって、触ることができないよう隠蔽されたままとなる為、紙幣を直接引き抜いたり、駆動伝達ギア１１２や排出ローラ１１３が不正に操作されることを防ぐことができ、紙幣カセット１１から紙幣が不正に抜き取られてしまうことを防ぐことができる。
【００９７】
かくして、第２の実施の形態の紙幣出金機１によれば、従来と比して、一段とセキュリティ性を向上することができる。
【００９８】
また、紙幣カセット１１のシャッタ１０２を開く為のキー６３Ａ、６３Ｂは、隔壁１１０に溶接などにより固定されていて、隔壁１１０から取り外すことはできないようになっている。これにより、紙幣出金機１では、例えば、カセット装着部１２から取り外された状態の紙幣カセット１１のシャッタ１０２が不正に開けられてしまうことを防ぐこともできる。
【００９９】
さらに、この第２の実施の形態では、紙幣カセット１１側にではなく、紙幣出金機１側に排出ローラ１１３を設けるようにした。これにより、例えば、１個の紙幣出金機１に対し、予備の紙幣カセット１１を複数用意しなくてはならない場合でも、紙幣出金機１側には、装着可能な紙幣カセット１１の数（例えば４個）に応じた数の排出ローラ１１３を設ければよく、紙幣カセット１１側に排出ローラ１１３を設ける場合と比べて、コストを抑えることができる。
【０１００】
［３．他の実施の形態］
［３−１．他の実施の形態１］
尚、上述した第１及び第２の実施の形態では、排出ローラ４９や排出ローラ１１３を回転させる駆動部として、排出モータ６５と出金機側ギア６６や駆動伝達ギア１１２を用いるようにした。これに限らず、排出ローラ４９や排出ローラ１１３を回転させることができるものであれば、排出モータ６５と出金機側ギア６６や駆動伝達ギア１１２以外の駆動部を用いるようにしてもよい。
【０１０１】
例えば、図１４に示すように、第１の実施の形態の隔壁６１の前面に、装置側駆動部として、排出モータ６５の代わりに電磁クラッチ１２０を設け、この電磁クラッチ１２０と出金機側ギア６６によって、排出ローラ４９を回転させるようにしてもよい。この場合、電磁クラッチ１２０は、例えば、搬送ユニット１３Ｕ側から伝達するようにすればよい。具体的には、隔壁６１の後方に位置する搬送ローラ１３Ｒと、隔壁６１の前面に設けられた電磁クラッチ１２０とをベルトなどの駆動伝達部品１２１で連結する。
【０１０２】
電磁クラッチ１２０は、必要に応じて、搬送ローラ１３Ｒの回転を出金機側ギア６６に伝達することができ、例えば、紙幣カセット１１から紙幣を排出するときだけ、搬送ローラ１３Ｒの回転を出金機側ギア６６に伝達して、排出ローラ４９を回転させることができる。尚、出金機側ギア６６の数や構成については、搬送ローラ１３Ｒの回転方向と、排出ローラ４９の回転方向などに応じて、適宜選定すればよい。
【０１０３】
尚、駆動伝達部品１２１については、搬送ユニット１３Ｕ側から触れるようになっていても構わないが、電磁クラッチ１２０と出金機側ギア６６については、隔壁６１によって、搬送ユニット１３Ｕ側からは触れないように隠蔽する。
【０１０４】
このように、排出ローラ４９を回転させる動力源と、搬送ユニット１３Ｕを駆動させる動力源とを共用する為、排出モータ６５よりも電磁クラッチ１２０が安価である場合や、排出ローラ４９の回転制御を簡略化できる場合には、紙幣出金機１のコストを下げることができる。また、このような電磁クラッチ１２０を、第２の実施の形態の隔壁１１０の前面に、排出モータ６５の代わりに設けるようにしてもよい。
【０１０５】
また、これに限らず、例えば、複数の出金機側ギア６６や複数の駆動伝達ギア１１２の一部又は全部を、ベルトなどの駆動伝達部品に置き換えるなどしてもよい。
【０１０６】
［３−２．他の実施の形態２］
また、上述した第１の実施の形態では、紙幣カセット１１側に上下一対の排出ローラ４９を設けるようにし、第２の実施の形態では、紙幣出金機１側に排出ローラ１１３を設け、紙幣カセット１１側に、この排出ローラ１１３と対向するガイド部材を設けるようにした。
【０１０７】
これに限らず、例えば、紙幣カセット１１側に一対の排出ローラ４９のうちの一方を設け、紙幣出金機１側（すなわち隔壁６１）に、一対の排出ローラ４９のうちの他方を設けるようにしてもよい。また、紙幣出金機１側（すなわち隔壁６１）に、上下一対の排出ローラ４９を設けるようにしてもよい。さらに、紙幣カセット１１側に、排出ローラ１１３と、この排出ローラ１１３と対向するガイド部材とを設けるようにしてもよい。
【０１０８】
［３−３．他の実施の形態３］
さらに、上述した第１の実施の形態では、紙幣カセット１１のキースロット４５Ａ、４５Ｂに、紙幣出金機１の隔壁６１に固定された解除部としてのキー６３Ａ、６３Ｂを差し込むことで、紙幣カセット１１のシャッタロック機構５１が動作してシャッタ４８のロックを解除するようにした。これに限らず、紙幣カセット１１をカセットスロット１８に装着することにともなってシャッタ４８のロックを解除できるものであれば、シャッタロック機構５１とは異なる機構のシャッタロック機構を用いるようにしてもよい。第２の実施の形態についても同様である。
【０１０９】
［３−４．他の実施の形態４］
さらに、上述した第１の実施の形態では、カセットスロット１８の奥に隔壁６１を設けるようにしたが、これに限らず、隔壁６１の代わりに、第２の実施の形態の隔壁１１０を設けるようにしてもよい。
【０１１０】
尚、隔壁１１０を設ける場合、紙幣カセット１１から排出された紙幣が、隔壁１１０に形成された狭小のスリット１１０Ａを通ってスムーズに繰り出されるよう、例えば、スリット１１０Ａの上下に、前後方向に延び、紙幣をスリット１１０Ａへとガイドする為のガイド部材を設けるようにしてもよい。
【０１１１】
［３−５．他の実施の形態５］
さらに、上述した第１の実施の形態では、カセットスロット１８の奥に、板状の隔壁６１を設けたが、これに限らず、例えば、隔壁６１の下端に、カセットスロット１８の内側へと延びる板状の部材を追加して、この部材により、隔壁６１の前面に設けられたキー６３Ａ、６３Ｂ、排出モータ６５及び出金機側ギア６６を、隔壁６１の下側からも触れることができないよう覆ってもよい。このようにすれば、隔壁６１の下の隙間６２Ａから特殊な工具を挿入して出金機側ギア６６を回転させるような不正操作も防ぐことができ、より一層セキュリティ性を向上することができる。
【０１１２】
［３−６．他の実施の形態６］
さらに、上述した第１の実施の形態では、シャッタ４８によって、紙幣カセット１１の排出口４６とギア挿入口４７を覆うようにしたが、これに限らず、例えば、排出口４６を覆うシャッタと、ギア挿入口４７を覆うシャッタとを別々に設けるようにしてもよい。この場合、例えば、キー６３Ａ、６３Ｂによって、両方のシャッタが開くようにすればよい。
【０１１３】
［３−７．他の実施の形態７］
さらに、上述した第１の実施の形態では、カセットスロット１８の奥に、収納庫側ギアとしてのカセット側ギア５０と、排出モータ６５と、装置側ギアとしての出金機側ギア６６とを搬送ユニット１３Ｕ側から隠蔽する隔壁６１を設けたが、これらカセット側ギア５０、排出モータ６５及び出金機側ギア６６の全部分を隠蔽するのではなく、触られると紙幣を排出できてしまう恐れのある可動部分のみを隠蔽する隔壁を設けるようにしてもよい。すなわち、例えば、カセット側ギア５０と、排出モータ６５の軸と、出金機側ギア６６とを隠蔽する隔壁を設けるようにしてもよい。
【０１１４】
また、上述した第２の実施の形態では、カセットスロット１８の奥に、搬送ユニット１３Ｕ側から、繰出部としての排出モータ６５、駆動伝達ギア１１２及び排出ローラ１１３を隠蔽する隔壁１１０を設けたが、これに限らず、可動部分のみを隠蔽する隔壁を設けるようにしてもよい。すなわち、例えば、排出モータ６５の軸と、駆動伝達ギア１１２と、排出ローラ１１３とを隠蔽する隔壁を設けるようにしてもよい。
【０１１５】
［３−８．他の実施の形態８］
さらに、上述した第１の実施の形態では、媒体収納庫としての紙幣カセット１１と、収納庫側繰出部としての排出ローラ４９及び収納庫側ギアとしてのカセット側ギア５０と、装置側繰出部としての排出モータ６５及び装置側ギアとしての出金機側ギア６６と、搬送部としての搬送ユニット１３Ｕと、隔壁６１とを有する媒体取引装置としての紙幣出金機１に本発明を適用した。また、第２の実施の形態では、媒体収納庫としての紙幣カセット１１と、繰出部としての排出ローラ１１３、排出モータ６５及び駆動伝達ギア１１２と、搬送部としての搬送ユニット１３Ｕと、隔壁１１０とを有する媒体取引装置としての紙幣出金機１に本発明を適用した。これに限らず、搬送部側から、媒体収納庫を隠蔽する必要のある媒体取引装置であれば、紙幣出金機１以外の媒体取引装置に適用してもよい。例えば、紙幣以外の媒体（切符、チケットなど）を扱う媒体取引装置に適用してもよい。
【０１１６】
［３−９．他の実施の形態９］
さらに本発明は、上述した各実施の形態に限定されるものではない。すなわち本発明は、上述した各実施の形態の一部又は全部を任意に組み合わせた実施の形態や、一部を抽出した実施の形態にもその適用範囲が及ぶものである。
【産業上の利用可能性】
【０１１７】
本発明は、搬送部側から媒体収納庫を隠蔽する必要のある媒体取引装置で広く利用できる。
【符号の説明】
【０１１８】
１……紙幣出金機、１０……収納筐体、１１……紙幣カセット、１２……カセット装着部、１３……搬送部、１３Ｕ……搬送ユニット、１８……カセットスロット、４０、１００……筐体、４３……紙幣収納エリア、４４、６２、１０１……開口、４６……排出口、４８、１０２……シャッタ、４９、１１３……排出ローラ、５０……カセット側ギア、６１、１１０……隔壁、６３Ａ、６３Ｂ……キー、６４、１１１……排出モータユニット、６５……排出モータ、６６……出金機側ギア、１１２……駆動伝達ギア、１１０Ａ……スリット、１２０……電磁クラッチ、１２１……駆動伝達部品。
【図１】
2016152021.tif 000003
【図２】
2016152021.tif 000004
【図３】
2016152021.tif 000005
【図４】
2016152021.tif 000006
【図５】
2016152021.tif 000007
【図６】
2016152021.tif 000008
【図７】
2016152021.tif 000009
【図８】
2016152021.tif 000010
【図９】
2016152021.tif 000011
【図１０】
2016152021.tif 000012
【図１１】
2016152021.tif 000013
【図１２】
2016152021.tif 000014
【図１３】
2016152021.tif 000015
【図１４】
2016152021.tif 000016
【図１５】
2016152021.tif 000017
【図１６】
2016152021.tif 000018